(57)【要約】【課題】固定作業及び固定解除作業の煩雑さを抑制する。【解決手段】フェンス１０では、ストッパ部材６０が上下方向に相対移動可能に第１フェンス１４に設けられている。ストッパ部材６０は、上下方向に移動することで、許可状態又は阻止状態に遷移し、許可状態では、第２フェンス１６の第１フェンス１４に対するスライドが許可され、阻止状態では、ストッパ部材６０が第２フェンス１６と係合して、第２フェンス１６のスライドが阻止される。さらに、阻止状態におけるストッパ部材６０が上側へ移動することで、ストッパ部材６０によって第２フェンス１６が展開位置側へ変位し、阻止状態におけるストッパ部材６０が下側へ移動することで、ストッパ部材６０によって第２フェンス１６が格納位置側へ変位する。したがって、フェンス１０における固定作業及び固定解除作業の煩雑さを抑制することができる。【選択図】図９
2020089334.tif 000002
【特許請求の範囲】
【請求項１】
幅方向に互いにスライド可能に連結された第１フェンス及び第２フェンスを含んで構成され、前記第２フェンスが前記第１フェンスに対して格納された格納位置と前記格納位置から幅方向一方へ展開された展開位置との間をスライドするフェンス本体と、
前記第１フェンスに相対移動可能に設けられたストッパ部材を有する固定機構と、
を備え、
前記ストッパ部材は、移動することで、前記第２フェンスの前記第１フェンスに対するスライドを許可する許可状態、又は前記第２フェンスと係合して前記第２フェンスのスライドを阻止する阻止状態に遷移し、
阻止状態における前記ストッパ部材が移動方向一方側へ移動することで、前記ストッパ部材によって前記第２フェンスを展開位置側へ変位させ、阻止状態における前記ストッパ部材が移動方向他方側へ移動することで、前記ストッパ部材によって前記第２フェンスを格納位置側へ変位させるフェンス。
【請求項２】
前記第２フェンスには、幅方向に並ぶ複数のフェンス側傾斜リブが形成され、
前記ストッパ部材には、前記フェンス側傾斜リブと係合可能に構成されたストッパ側傾斜リブが形成されており、
前記フェンス側傾斜リブ及び前記ストッパ側傾斜リブが、前記ストッパ部材の移動方向一方側へ向かうに従い前記フェンス本体の幅方向他方側へ傾斜されている請求項１に記載のフェンス。
【請求項３】
前記固定機構は、前記ストッパ部材の移動方向を軸方向として前記第１フェンスに回転可能に設けられた作動部材を有しており、
前記ストッパ部材が、前記作動部材に相対移動可能に連結され、
前記作動部材が回転方向一方側へ回転することで、前記ストッパ部材が移動方向一方側へ移動し、前記作動部材が回転方向他方側へ回転することで、前記ストッパ部材が移動方向他方側へ移動する請求項１又は請求項２に記載のフェンス。
【請求項４】
前記作動部材には、前記ストッパ部材と連結される第１ネジ部が形成され、前記ストッパ部材には、前記第１ネジ部と螺合される第２ネジ部が形成されており、
前記第１ネジ部及び前記第２ネジ部が、２条ねじとして構成されている請求項３に記載のフェンス。
【請求項５】
前記作動部材は、
前記第１フェンスの外側に配置された取手部と、
前記取手部から延出され、前記第１フェンスに支持されると共に、外周部に前記第１ネジ部が形成され、先端面に段差部が形成された回転時と、
を含んで構成され、
前記ストッパ部材には、前記段差部と係合可能に構成された規制部が形成されており、
前記ストッパ部材が移動方向一方側へ最大移動したときには、前記段差部が前記規制部に係合して、前記作動部材の回転方向一方側への回転が制限される請求項４に記載のフェンス。
【請求項６】
前記第１フェンス及び前記第２フェンスが、同一部材で構成されている請求項１〜請求項５の何れか１項に記載のフェンス。
【発明の詳細な説明】
【技術分野】
【０００１】
本発明は、フェンスに関する。
【背景技術】
【０００２】
下記特許文献１には、屋内の通路に設置される安全柵（フェンス）について記載されている。この安全柵では、通路を挟んで対向して配置される一対の壁等に安全柵を設置して、ペット（動物）や幼児等の通行を安全柵によって規制している。また、この安全柵では、上水平部材及び下水平部材が、内側ポール及び外側ポールによって構成されており、内側ポールを外側ポールに対して相対回転させることで、上水平部材及び下水平部材が、長手方向に伸縮するようになっている。
【０００３】
そして、安全柵を通路に設置するときには、上水平部材及び下水平部材を伸長させて、上水平部材及び下水平部材を一対の壁の間に突っ張らせることで、安全柵が壁に固定される。一方、安全柵の固定状態を解除するときには、上水平部材及び下水平部材を縮ませることで、安全柵の壁部への固定状態が解除される。
【先行技術文献】
【特許文献】
【０００４】
【特許文献１】特開２０１５−１０４５２８号公報
【発明の概要】
【発明が解決しようとする課題】
【０００５】
しかしながら、上記安全柵の固定及び固定解除では、上水平部材及び下水平部材の２つの部材に対して、内側ポールを外側ポールに対して相対回転させる作業が必要になる。このため、安全柵の固定作業及び固定解除作業が煩雑になるという問題がある。
【０００６】
本発明は、上記事実を考慮して、固定作業及び固定解除作業の煩雑さを抑制できるフェンスを提供することを目的とする。
【課題を解決するための手段】
【０００７】
本発明の１又はそれ以上の実施形態は、幅方向に互いにスライド可能に連結された第１フェンス及び第２フェンスを含んで構成され、前記第２フェンスが前記第１フェンスに対して格納された格納位置と前記格納位置から幅方向一方へ展開された展開位置との間をスライドするフェンス本体と、前記第１フェンスに相対移動可能に設けられたストッパ部材を有する固定機構と、を備え、前記ストッパ部材は、移動することで、前記第２フェンスの前記第１フェンスに対するスライドを許可する許可状態、又は前記第２フェンスと係合して前記第２フェンスのスライドを阻止する阻止状態に遷移し、阻止状態における前記ストッパ部材が移動方向一方側へ移動することで、前記ストッパ部材によって前記第２フェンスを展開位置側へ変位させ、阻止状態における前記ストッパ部材が移動方向他方側へ移動することで、前記ストッパ部材によって前記第２フェンスを格納位置側へ変位させるフェンスである。
【０００８】
本発明の１又はそれ以上の実施形態は、前記第２フェンスには、幅方向に並ぶ複数のフェンス側傾斜リブが形成され、前記ストッパ部材には、前記フェンス側傾斜リブと係合可能に構成されたストッパ側傾斜リブが形成されており、前記フェンス側傾斜リブ及び前記ストッパ側傾斜リブが、前記ストッパ部材の移動方向一方側へ向かうに従い前記フェンス本体の幅方向他方側へ傾斜されているフェンスである。
【０００９】
本発明の１又はそれ以上の実施形態は、前記固定機構は、前記ストッパ部材の移動方向を軸方向として前記第１フェンスに回転可能に設けられた作動部材を有しており、前記ストッパ部材が、前記作動部材に相対移動可能に連結され、前記作動部材が回転方向一方側へ回転することで、前記ストッパ部材が移動方向一方側へ移動し、前記作動部材が回転方向他方側へ回転することで、前記ストッパ部材が移動方向他方側へ移動するフェンスである。
【００１０】
本発明の１又はそれ以上の実施形態は、前記作動部材には、前記ストッパ部材と連結される第１ネジ部が形成され、前記ストッパ部材には、前記第１ネジ部と螺合される第２ネジ部が形成されており、前記第１ネジ部及び前記第２ネジ部が、２条ねじとして構成されているフェンスである。
【００１１】
本発明の１又はそれ以上の実施形態は、前記作動部材は、前記第１フェンスの外側に配置された取手部と、前記取手部から延出され、前記第１フェンスに支持されると共に、外周部に前記第１ネジ部が形成され、先端面に段差部が形成された回転時と、を含んで構成され、前記ストッパ部材には、前記段差部と係合可能に構成された規制部が形成されており、前記ストッパ部材が移動方向一方側へ最大移動したときには、前記段差部が前記規制部に係合して、前記作動部材の回転方向一方側への回転が制限されるフェンスである。
【００１２】
本発明の１又はそれ以上の実施形態は、前記第１フェンス及び前記第２フェンスが、同一部材で構成されているフェンスである。
【発明の効果】
【００１３】
上記構成のフェンスによれば、固定作業及び固定解除作業の煩雑さを抑制することができる。
【図面の簡単な説明】
【００１４】
【図１】本実施の形態に係るフェンスを屋内の壁部に設置した状態を示す前側から見た正面図である。
【図２】図１に示されるフェンスにおいて第２フェンスを格納位置に配置した状態を示す右斜め前方から見た斜視図である。
【図３】図１に示されるフェンスにおいて第２フェンスを展開位置に配置した状態を示す右斜め前方から見た斜視図である。
【図４】図１に示されるフェンスの分解斜視図である。
【図５】（Ａ）は、図１に示される第１フェンスの正面図であり、（Ｂ）は、（Ａ）の第１フェンスを後側から見た裏面図である。
【図６】（Ａ）は、図１に示されるフェンスにおける第１フェンスの第１縦フレーム部の上端部周辺を示す側断面図（図１の６Ａ−６Ａ線拡大断面図）であり、（Ｂ）は、図１に示される第１フェンスと第２フェンスとの連結状態を示す側断面図（図１の６Ｂ−６Ｂ線拡大断面図）である。
【図７】（Ａ）は、図６（Ｂ）に示される連結ピン及び連結プレートを分解した状態で示す右斜め前方から見た斜視図であり、（Ａ）の連結ピン及び連結プレートを示す右斜め後方から見た斜視図である。
【図８】図４に示される固定機構のストッパ部材が第１フェンスのストッパ収容部に収容され且つ許可位置に配置された状態を示す後側から見た裏面図である。
【図９】図８に示されるストッパ部材が上側へ移動して阻止位置に配置された状態を示す裏面図である。
【図１０】図８に示されるハンドル部材を拡大して示す右斜め後方から見た斜視図である。
【図１１】図８に示されるストッパ部材を示す右斜め後方から見た斜視図である。
【図１２】（Ａ）は、図１１に示されるストッパ部材のストッパ側傾斜リブが第２フェンスのフェンス側傾斜リブに係合するときの状態を説明するための前側から見た説明図であり、（Ｂ）は、（Ａ）の状態からストッパ側傾斜リブが上側へ移動して第２フェンスが左側へ移動する状態を説明するための前側から見た説明図である。
【発明を実施するための形態】
【００１５】
以下、図面を用いて、本実施の形態に係るフェンス１０について説明する。なお、図面において適宜示される矢印ＵＰ、矢印ＦＲ、矢印ＬＨは、それぞれフェンス１０の上側、前側、左側（幅方向一方側）を示している。そして、以下の説明において、上下、前後、左右の方向を用いて説明するときは、特に断りのない限り、フェンス１０の上下方向、前後方向、左右方向を示すものとする。
【００１６】
図１〜図４に示されるように、フェンス１０は、フェンス本体１２と、固定機構４０と、を含んで構成されている。また、詳細については後述するが、フェンス本体１２は、第１フェンス１４及び第２フェンス１６を有しており、第１フェンス１４及び第２フェンス１６が互いに左右方向にスライド可能に連結されている。具体的には、第２フェンス１６が、第１フェンス１４に前後方向に重なる格納位置（図２に示される位置）と、格納位置から左側（幅方向一方側）へスライドした展開位置（図３に示される位置）と、の間をスライドするようになっている。これにより、フェンス１０は、幅寸法を可変できる構成になっている。そして、フェンス１０は、例えば、屋内の通路に設置され、通路を挟んで対向配置された壁部ＷＬに固定されて、ペット（動物）等の通路の通行を規制する柵として構成されている（図１参照）。以下、フェンス１０の各構成について説明する。
【００１７】
（フェンス本体１２について）
図１〜図４に示されるように、フェンス本体１２は、上述のように、第１フェンス１４及び第２フェンス１６を含んで構成されている。また、第１フェンス１４と第２フェンス１６とは同一部材で構成されており、第２フェンス１６は、第１フェンス１４を前後に反転した構造を成している。このため、以下の説明では、第１フェンス１４の構成について説明し、第２フェンス１６の構成については、適宜省略する。
【００１８】
図５にも示されるように、第１フェンス１４は、樹脂材によって構成され、全体として前後方向を厚み方向とした略矩形パネル状に形成されている。第１フェンス１４は、第１フェンス１４の外周部を構成する枠フレーム２０を有しており、枠フレーム２０は、前側から見た正面図で、略矩形枠状に形成されている。具体的には、枠フレーム２０は、枠フレーム２０の左端部を構成し且つ上下方向に延在された第１縦フレーム部２１と、第１縦フレーム部２１の上端部及び下端部からそれぞれ右側へ延出された上下一対の第１横フレーム部２２と、上下方向に延在され且つ一対の第１横フレーム部２２の右端部を連結する第２縦フレーム部２３と、を有している。第１縦フレーム部２１及び第１横フレーム部２２は、その長手方向から見た断面視で、後側へ開放された略Ｕ字形状に形成されており、第２縦フレーム部２３は、その長手方向から見た断面視で、前側及び後側へ開放された略Ｈ形状に形成されている。また、第２縦フレーム部２３の後端部は、第１縦フレーム部２１及び第１横フレーム部２２よりも後側へ突出している。
【００１９】
さらに、第１縦フレーム部２１の上端部を除く部分が、後述するストッパ部材６０を収容するためのストッパ収容部２１Ａ（広義には、「収容部」として把握される要素である）として構成されており、ストッパ収容部２１Ａは、後側へ開放された凹状に形成されると共に、上下方向に延在されている。
【００２０】
図６（Ａ）に示されるように、第１縦フレーム部２１の上端部には、後述するハンドル部材５０を支持するための支持筒部２１Ｂが形成されており、支持筒部２１Ｂは、上下方向を軸方向とした円筒状に形成されている。支持筒部２１Ｂの内部は、上下方向に貫通しており、支持筒部２１Ｂの内部とストッパ収容部２１Ａの内部とが連通されている。支持筒部２１Ｂの下端部には、前後一対のフック部２１Ｃが形成されており、フック部２１Ｃは、支持筒部２１Ｂから径方向内側へ突出している。
【００２１】
図１〜図５に示されるように、第１フェンス１４の上下方向中間部には、上下一対の第２横フレーム部２４が形成されている。第２横フレーム部２４は、左右方向に延在されており、第２横フレーム部２４の長手方向両端部が、第１縦フレーム部２１及び第２縦フレーム部２３に接続されている。なお、第２横フレーム部２４は、その長手方向から見た断面視で、後側へ開放された略Ｕ字形状に形成されている。
【００２２】
第１横フレーム部２２と第２横フレーム部２４との間には、それぞれ連結壁部２５が形成されており、連結壁部２５は、前後方向を板厚方向として配置され、第１横フレーム部２２の後端部と第２横フレーム部２４の後端部とを接続している。この連結壁部２５の上下方向中間部には、左右方向に延在された上下一対の補強部２５Ａが形成されており、補強部２５Ａは、その長手方向から見た断面視で、後側へ開放された略Ｖ字形状に形成されて、連結壁部２５から前側へ突出している（図６（Ｂ）参照）。
【００２３】
連結壁部２５の上端部及び下端部には、左右方向に延在されたスライド溝２５Ｂが貫通形成されている。すなわち、第１フェンス１４には、４箇所のスライド溝２５Ｂが形成されている。スライド溝２５Ｂの周縁部には、前側へ突出したリブ状のレール部２５Ｃ（図６（Ｂ）参照）が形成されており、レール部２５Ｃは、スライド溝２５Ｂの周方向に沿って延在されると共に、スライド溝２５Ｂの周方向全周に亘って形成されている。
【００２４】
また、連結壁部２５には、各スライド溝２５Ｂの左側において、連結ボス２５Ｄが形成されている。すなわち、第１フェンス１４には、４箇所の連結ボス２５Ｄが形成されている。連結ボス２５Ｄは、前後方向を軸方向とした略円筒状に形成されて、連結壁部２５から前側へ突出している。また、連結ボス２５Ｄの内部は、前後方向に貫通している。
【００２５】
連結壁部２５の後面には、一対の補強部２５Ａの間において、複数のフェンス側傾斜リブ２５Ｅ（図５（Ｂ）参照）が形成されている。フェンス側傾斜リブ２５Ｅは、連結壁部２５から後側へ突出すると共に、裏面視で、上側へ向かうに従い左側へ傾斜している。具体的には、フェンス側傾斜リブ２５Ｅが、上下方向に対して４５度に傾斜している。また、複数のフェンス側傾斜リブ２５Ｅが、連結壁部２５の幅方向（左右方向）全体に亘って形成されており、左右方向に所定の間隔を空けて並んで配置されている。これにより、隣り合うフェンス側傾斜リブ２５Ｅの間には、後側及び下側へ開放された傾斜溝２５Ｆが形成されている。さらに、フェンス側傾斜リブ２５Ｅの一方の側面が、第１傾斜面２５Ｅ１として構成され、フェンス側傾斜リブ２５Ｅの他方の側面が、第２傾斜面２５Ｅ２として構成されている。なお、図５（Ｂ）では、便宜上、左右方向に隣り合うフェンス側傾斜リブ２５Ｅ及び、当該フェンス側傾斜リブ２５Ｅの間の傾斜溝２５Ｆのみに、符号を付している。
【００２６】
また、第１フェンス１４の上下方向中央部には、複数（本実施の形態では、７本）の格子部２６が形成されており、複数の格子部２６が左右方向に所定の間隔を空けて配置されている。格子部２６は、上下方向に延在されて、格子部２６の長手方向両端部が、第２横フレーム部２４に接続されている。
【００２７】
さらに、第１フェンス１４（第２縦フレーム部２３）に右壁には、上下一対の固定具２７（図１〜図３参照）が取付けられている。この固定具２７は、フェンス１０を屋内の壁部ＷＨ等に設置するときに、屋内の壁部ＷＨに当接する固定具として構成されている。
【００２８】
ここで、上述のように、第２フェンス１６は、第１フェンス１４を前後に反転した構造を成している。このため、第２フェンス１６では、フェンス側傾斜リブ２５Ｅが、連結壁部２５から前側へ突出すると共に、正面視で、上側へ向かうに従い右側（幅方向他方側）へ傾斜している。また、第２フェンス１６では、傾斜溝２５Ｆが前側及び下側へ開放されている。
【００２９】
そして、第２フェンス１６が、第１フェンス１４に重なるように第１フェンス１４の後側に隣接して配置されている。具体的には、第１フェンス１４のスライド溝２５Ｂと第２フェンス１６の連結ボス２５Ｄとが対を成し、第１フェンス１４の連結ボス２５Ｄと第２フェンス１６のスライド溝２５Ｂとが対を成すように、第１フェンス１４及び第２フェンス１６が配置されている。そして、第１フェンス１４及び第２フェンス１６が、連結ピン３０（広義には、「第１連結具」として把握される要素である）及び連結プレート３４（広義には、「第２連結具」として把握される要素である）によって、左右方向にスライド可能に連結されている。以下、連結ピン３０及び連結プレート３４について説明する。
【００３０】
図６（Ｂ）及び図７に示されるように、連結ピン３０は、樹脂材により構成されると共に、ベース部３１とピン部３２とを含んで構成されている。ベース部３１は、前後方向を板厚方向とし左右方向を長手方向とする略矩形板状に形成されている。ベース部３１の上端部及び下端部は、板厚方向一方側（図７に示される例では、後側）へ屈曲されており、連結ピン３０の上端部と下端部との間の距離が、第１フェンス１４（第２フェンス１６）におけるスライド溝２５Ｂの上下のレール部２５Ｃ間の距離よりも大きく設定されている（図６（Ｂ）参照）。
【００３１】
ピン部３２は、全体として前後方向を軸方向とする略円柱状に形成されて、ベース部３１の略中央部からベース部３１の板厚方向一方側へ延出している。また、ピン部３２の中央部には、左右方向に貫通したスリット３２Ａが形成されている。このため、ピン部３２が、一対の分割ピン部３２Ｂに分割されており、分割ピン部３２Ｂは、ピン部３２の径方向に弾性変形可能に構成されている。また、分割ピン部３２Ｂの先端部には、ピン部３２の径方向外側へ張り出されたピンフック３２Ｃが形成されている。さらに、一対の分割ピン部３２Ｂの互いに対向する面には、軸方向中間部において、一対の連結溝３２Ｄがそれぞれ形成されている。一対の連結溝３２Ｄは、一対の分割ピン部３２Ｂの互いに対向する方向へ開放されると共に、左右方向に並んで配置されている。
【００３２】
そして、連結ピン３０が、第１フェンス１４（第２フェンス１６）のスライド溝２５Ｂ内に前側（後側）から挿入されると共に、第２フェンス１６（第１フェンス１４）の連結ボス２５Ｄ内に前側（後側）から挿入されている。また、この状態では、連結ピン３０のピンフック３２Ｃが、第２フェンス１６（第１フェンス１４）の連結ボス２５Ｄの先端部に係合して、第２フェンス１６（第１フェンス１４）の後側（前側）への移動が制限されている。さらに、この状態では、第１フェンス１４（第２フェンス１６）のレール部２５Ｃとベース部３１との間には、所定の隙間が形成されるようになっている。以上により、第２フェンス１６が第１フェンス１４に対して左右方向にスライド可能に連結されている。
【００３３】
連結プレート３４は、蓋部３５とプレート部３６とを含んで構成されている。蓋部３５は、前後方向を板厚方向とした略円板状に形成されている。プレート部３６は、上下方向を板厚方向とした略矩形プレート状に形成されて、蓋部３５から蓋部３５の板厚方向一方側（図７では、前側）へ延出されている。プレート部３６には、連結ピン３０の連結溝３２Ｄに対応する位置において、上下一対の係合突起３６Ａが形成されており、一対の係合突起３６Ａは、プレート部３６から上側及び下側へそれぞれ突出している。
【００３４】
そして、連結プレート３４が、連結ピン３０の組付方向とは反対側から連結ピン３０に組付けられている。具体的には、連結プレート３４のプレート部３６を、連結ピン３０の一対の分割ピン部３２Ｂの間に挿入すると共に、連結プレート３４の係合突起３６Ａを連結ピン３０の連結溝３２Ｄ内に配置する。これにより、連結ピン３０のピン部３２の径方向内側への変位を制限した状態で、連結プレート３４が連結ピン３０に組付けられている。
【００３５】
以上により、第１フェンス１４及び第２フェンス１６が、連結ピン３０及び連結プレート３４によって、左右方向にスライド可能に連結されている。そして、第２フェンス１６の格納位置では、第２フェンス１６の大半（第２縦フレーム部２３を除く部分）が、第１フェンス１４と前後方向に重なるように、第２フェンス１６が第１フェンス１４に対して格納されている（図２参照）。また、第２フェンス１６の格納位置では、第１フェンス１４（第２フェンス１６）のスライド溝２５Ｂ内に挿入された連結ピン３０及び連結プレート３４がスライド溝２５Ｂの右端部（左端部）内に配置されて、第２フェンス１６の右側（幅方向他方側）へのスライドが制限されている。
【００３６】
一方、第２フェンス１６の展開位置では、第２フェンス１６の大半が、第１フェンス１４に対して左側（幅方向一方側）へ展開されるように、第２フェンス１６が第１フェンス１４に対して配置されている（図３参照）。また、第２フェンス１６の展開位置では、第１フェンス１４（第２フェンス１６）のスライド溝２５Ｂ内に挿入された連結ピン３０及び連結プレート３４がスライド溝２５Ｂの左端部（右端部）内に配置されて、第２フェンス１６の左側へのスライドが制限されている。
【００３７】
（固定機構４０について）
次に、本発明の要部である固定機構４０について説明する。図４に示されるように、固定機構４０は、「作動部材」としてのハンドル部材５０と、ストッパ部材６０と、を含んで構成されている。
【００３８】
＜ハンドル部材５０について＞
図６（Ａ）、図８、図９、及び図１０に示されるように、ハンドル部材５０は、樹脂材によって構成されて、正面視で略Ｔ字形状に形成されている。具体的には、ハンドル部材５０は、ハンドル部材５０の上端部を構成し且つ左右方向に延在された「取手部」としてのハンドル部５２と、ハンドル部５２の長手方向中間部から下側へ延出された回転軸５４と、を含んで構成されている。
【００３９】
回転軸５４の上端部は、支持軸部５６として構成されており、支持軸部５６は全体として上下方向を軸方向とする円柱状に形成されている。そして、支持軸部５６が、第１フェンス１４の支持筒部２１Ｂ内に挿入されて、支持筒部２１Ｂに回転可能に支持されている（図６（Ａ）参照）。なお、支持軸部５６の支持状態では、ハンドル部５２が、第１フェンス１４の左端部（第１縦フレーム部２１）の上側に近接して配置されている。
【００４０】
支持軸部５６の下端部の外周部には、支持軸部５６の径方向外側へ開放された係合溝５６Ａが形成されており、係合溝５６Ａは、支持軸部５６の周方向に沿って延在されると共に、支持軸部５６の周方向全周に亘って形成されている。そして、係合溝５６Ａの内部に、第１フェンス１４のフック部２１Ｃが配置されている（図６（Ａ）参照）。これにより、第１フェンス１４とハンドル部材５０とが上下方向に係合して、ハンドル部材５０の第１フェンス１４に対する上下方向の移動が制限されている。
【００４１】
また、回転軸５４の下端部は、連結軸部５８として構成されている。連結軸部５８は、上下方向を軸方向とする略円筒状に形成されて、第１フェンス１４のストッパ収容部２１Ａの上端部内に配置されている。連結軸部５８の外周部は、第１ネジ部５８Ａとして構成されており、第１ネジ部５８Ａには、２条ねじの雄ねじが形成されている。また、連結軸部５８の下端面は、第１ネジ部５８Ａの雄ねじに対応して螺旋状に形成されている。これにより、連結軸部５８の下端には、段差部５８Ｂ（図１０参照）が形成されている。
【００４２】
＜ストッパ部材６０について＞
図６（Ａ）、図８、図９、及び図１１に示されるように、ストッパ部材６０は、全体として上下方向に延在された略長尺矩形柱状に形成されて、第１フェンス１４のストッパ収容部２１Ａ内に、上下方向に相対移動可能に収容されている。また、ストッパ部材６０の幅寸法（左右方向の寸法）は、ストッパ収容部２１Ａの幅寸法と比べて僅かに小さく設定されている。これにより、ストッパ部材６０の上下方向への移動時には、ストッパ部材６０がストッパ収容部２１Ａによってガイドされながら第１フェンス１４に対して相対移動するようになっている。
【００４３】
ストッパ部材６０の外周部は、前後方向に貫通された枠状に形成されている。すなわち、ストッパ部材６０の外周部は、上下方向を板厚方向とする上壁６０Ａ及び下壁６０Ｂと、左右方向を板厚方向とし且つ上壁６０Ａ及び下壁６０Ｂを連結する左右一対の側壁６０Ｃと、を含んで構成されている。また、ストッパ部材６０の内部には、後述するストッパ係合部６６を除く部分において、中壁６０Ｄが形成されており、中壁６０Ｄは、前後方向を板厚方向として、ストッパ部材６０の前後方向中間部に配置されている。なお、中壁６０Ｄの長手方向中間部には、複数（本実施の形態では、１２箇所）の肉逃げ孔部６０Ｅが貫通形成されており、肉逃げ孔部６０Ｅは、三角形状に形成されている。
【００４４】
ストッパ部材６０の上壁６０Ａには、連結筒部６２が形成されており、連結筒部６２は、上下方向を軸方向とした略円筒状に形成されて、上壁６０Ａから下側へ延出されている。また、連結筒部６２の内部は上下方向に貫通している。さらに、連結筒部６２の内周部は、第２ネジ部６２Ａとして構成されており、第２ネジ部６２Ａには、ハンドル部材５０の第１ネジ部５８Ａに対応して、２条ねじの雌ねじが形成されている。
【００４５】
そして、ハンドル部材５０の第１ネジ部５８Ａが、ストッパ部材６０の第２ネジ部６２Ａに螺合されて、ストッパ部材６０とハンドル部材５０とがネジ結合により連結されている。これにより、ハンドル部材５０が回転することで、ストッパ部材６０が、ハンドル部材５０及び第１フェンス１４に対して上下方向に相対移動する構成になっている。具体的には、ハンドル部材５０を回転方向一方側へ回転操作することで、ストッパ部材６０がハンドル部材５０に対して上側（移動方向一方側）へ移動し、ハンドル部材５０を回転方向他方側へ回転操作することで、ストッパ部材６０がハンドル部材５０に対して下側（移動方向他方側）へ移動するように構成されている。より詳しくは、ストッパ部材６０は、図８に示される許可位置と、許可位置よりも上側に配置された阻止位置（図９に示される位置）と、の間を移動する構成になっている。なお、前述したように、ストッパ部材６０は、第１フェンス１４のストッパ収容部２１Ａによってガイドされているため、ハンドル部材５０の回転時には、ストッパ部材６０の回転が第１フェンス１４によって制限される構成になっている。
【００４６】
また、ストッパ部材６０の上端部には、連結筒部６２の下側において、軸収容部６４が形成されており、軸収容部６４は、前後方向を軸方向とする略矩形筒状に形成されている。また、軸収容部６４の内部と連結筒部６２の内部とが連通している。そして、ストッパ部材６０が阻止位置に配置された状態では、ハンドル部材５０の連結軸部５８の下端部が、軸収容部６４内に配置されるようになっている。
【００４７】
軸収容部６４の下面には、後側の位置において、「規制部」としての規制突起６４Ａが形成されており、規制突起６４Ａは、ハンドル部材５０の連結軸部５８に対応する位置に形成されている。そして、ストッパ部材６０がハンドル部材５０に対して最も上側へ移動したときには、規制突起６４Ａとハンドル部材５０の段差部５８Ｂとがハンドル部材５０の回転方向に係合して、ハンドル部材５０の回転方向一方側への回転を制限するようになっている。
【００４８】
また、ストッパ部材６０には、上下一対のストッパ係合部６６が形成されており、一対のストッパ係合部６６は、ストッパ部材６０の上端側の部分及び下端部にそれぞれ形成されている。具体的には、ストッパ係合部６６は、第２フェンス１６の連結壁部２５と前後方向に対向する位置に配置されている。
【００４９】
ストッパ係合部６６は、前後方向を板厚方向としたベース壁６６Ａを有しており、ベース壁６６Ａは、ストッパ部材６０の一対の側壁６０Ｃの後端部に架け渡されている。
【００５０】
また、ストッパ係合部６６は、複数（本実施の形態では、３箇所）のストッパ側傾斜リブ６６Ｂを有しており、ストッパ側傾斜リブ６６Ｂは、ベース壁６６Ａから後側へ突出している。また、ストッパ側傾斜リブ６６Ｂは、上側（ストッパ部材６０の移動方向一方側）へ向かうに従い右側（フェンス１０の幅方向他方側）へ傾斜している。詳しくは、ストッパ側傾斜リブ６６Ｂは、上下方向に対して４５度傾斜している、また、３箇所のストッパ側傾斜リブ６６Ｂは、左右方向に所定間隔毎に配置されている。具体的には、ストッパ側傾斜リブ６６Ｂの間隔が、第２フェンス１６のフェンス側傾斜リブ２５Ｅの間隔と一致するように設定されている。また、ストッパ側傾斜リブ６６Ｂの幅寸法が、第２フェンス１６の傾斜溝２５Ｆの幅寸法よりも若干小さく設定されている。
【００５１】
そして、ストッパ部材６０が許可位置に配置された状態では、ストッパ側傾斜リブ６６Ｂが、第２フェンス１６のフェンス側傾斜リブ２５Ｅの下側に配置されている（図８参照）。これにより、ストッパ側傾斜リブ６６Ｂと第２フェンス１６のフェンス側傾斜リブ２５Ｅとが係合しておらず、第２フェンス１６の第１フェンス１４に対するスライドが許可されるようになっている（固定機構４０（ストッパ部材６０）における、この状態を「許可状態」という）。
【００５２】
一方、ストッパ部材６０が阻止位置に配置された状態では、ストッパ側傾斜リブ６６Ｂが、第２フェンス１６の何れかの傾斜溝２５Ｆ内に挿入するようになっている（図９参照）。これにより、ストッパ側傾斜リブ６６Ｂが、左右方向に隣り合うフェンス側傾斜リブ２５Ｅに左右方向に係合して、第２フェンス１６の第１フェンス１４に対する左右方向の移動が制限されるようなっている。つまり、第２フェンス１６のスライドが阻止されるようになっている（固定機構４０（ストッパ部材６０）における、この状態を「阻止状態」という）。なお、本実施の形態におけるストッパ部材６０の阻止位置とは、ストッパ側傾斜リブ６６Ｂが、第２フェンス１６のフェンス側傾斜リブ２５Ｅに係合する位置として、設定している。また、ストッパ側傾斜リブ６６Ｂ及びフェンス側傾斜リブ２５Ｅは、それぞれ所定の長さに延在されている。このため、ストッパ部材６０の阻止位置が上下方向に所定の幅を持っている。
【００５３】
また、ストッパ側傾斜リブ６６Ｂの一方の側面が第１傾斜面６６Ｂ１として構成されており、ストッパ側傾斜リブ６６Ｂの他方の側面が第２傾斜面６６Ｂ２として構成されている。そして、詳細については後述するが、ストッパ部材６０の阻止状態において、ストッパ部材６０が上側へ移動するときには、ストッパ側傾斜リブ６６Ｂの第１傾斜面６６Ｂ１が、第２フェンス１６のフェンス側傾斜リブ２５Ｅの第２傾斜面２５Ｅ２上を摺動しながら上側へ移動すると共に、第２フェンス１６が第１フェンス１４に対して左側（幅方向一方側であり、展開位置側）へスライドするように構成されている。
【００５４】
一方、ストッパ部材６０の阻止状態において、ストッパ部材６０が下側へ移動するときには、ストッパ側傾斜リブ６６Ｂの第２傾斜面６６Ｂ２が、第２フェンス１６のフェンス側傾斜リブ２５Ｅの第１傾斜面２５Ｅ１上を摺動しながら下側へ移動すると共に、第２フェンス１６が第１フェンス１４に対して右側（幅方向他方側であり、格納位置側）へスライドするように構成されている。
【００５５】
（作用及び効果）
次に、本実施の形態の作用及び効果について説明する。
【００５６】
上記のように構成されたフェンス１０では、第２フェンス１６が、第１フェンス１４にスライド可能に連結されて、格納位置と展開位置との間をスライドする。また、フェンス１０の初期状態では、第２フェンス１６が格納位置に配置されており、固定機構４０が許可状態になっている。これにより、第２フェンス１６の第１フェンス１４に対するスライドが許可されている。
【００５７】
そして、フェンス１０を通路に設置する場合には、一対の壁部ＷＬの間にフェンス１０を配置する。そして、第２フェンス１６を第１フェンス１４に対して幅方向一方側へスライドさせて、フェンス１０の幅寸法を一対の壁部ＷＬの間の長さに合わせる。この状態では、フェンス１０が、壁部ＷＬに固定されていない状態になる。
【００５８】
この状態で、ハンドル部材５０を回転方向一方側へ回転させると、ハンドル部材５０の回転軸５４にねじ結合されたストッパ部材６０が許可位置から上側（阻止位置側）へ移動する。すなわち、ストッパ部材６０のストッパ側傾斜リブ６６Ｂが、図１２（Ａ）の２点鎖線にて示される許可位置から上側へ移動する。そして、図１２（Ａ）の実線にて示されるように、ストッパ側傾斜リブ６６Ｂの上端部が、第２フェンス１６の傾斜溝２５Ｆの下端部に到達すると、ストッパ側傾斜リブ６６Ｂが傾斜溝２５Ｆ内に挿入される。これにより、ストッパ側傾斜リブ６６Ｂの第１傾斜面６６Ｂ１が、第２フェンス１６におけるフェンス側傾斜リブ２５Ｅの第２傾斜面２５Ｅ２に係合して、ストッパ部材６０が許可状態から阻止状態に遷移する。
【００５９】
この状態において、ハンドル部材５０を回転方向一方側へさらに回転させると、ストッパ側傾斜リブ６６Ｂが、ストッパ側傾斜リブ６６Ｂに対して左側のフェンス側傾斜リブ２５Ｅを上側へ押圧して、フェンス側傾斜リブ２５Ｅ（第２フェンス１６）に上側への押圧力Ｆが作用する。このため、フェンス側傾斜リブ２５Ｅには、第２傾斜面２５Ｅ２に直交する方向（左斜め上方側）の分力Ｆ１が作用する。一方、第２フェンス１６の上側への移動は、第１フェンス１４に連結された連結ピン３０によって制限されている。その結果、ストッパ側傾斜リブ６６Ｂの第１傾斜面６６Ｂ１が、第２フェンス１６のフェンス側傾斜リブ２５Ｅの第２傾斜面２５Ｅ２上を摺動しながら、ストッパ側傾斜リブ６６Ｂ（ストッパ部材６０）が上側へ移動すると共に、フェンス側傾斜リブ２５Ｅ（第２フェンス１６）が分力Ｆ１によって左側（展開位置側であり、フェンス１０の幅方向一方側）へ移動する（図１２（Ｂ）参照）。つまり、フェンス１０の幅寸法が長くなる。これにより、第２フェンス１６が左側の壁部ＷＬに接近して、第２フェンス１６の固定具２７が左側の壁部ＷＬを押圧する。
【００６０】
この状態で、ハンドル部材５０を回転方向一方側へさらに回転させると、フェンス１０が、幅方向両側の固定具２７を介して、一対の壁部ＷＬを幅方向外側へ押圧する。これにより、一対の壁部ＷＬからフェンス１０に反力が作用して、フェンス１０が一対の壁部ＷＬの間で突っ張るようになる。さらに、このときには、ストッパ側傾斜リブ６６Ｂと第２フェンス１６のフェンス側傾斜リブ２５Ｅとが係合しているため、第２フェンス１６の右側（格納位置側）へのスライドが制限されている。以上により、フェンス１０が一対の壁部ＷＬの間に固定される。
【００６１】
一方、フェンス１０の壁部ＷＬへの固定状態を解除するときには、ハンドル部材５０を回転方向他方側へ回転させる。これにより、阻止状態のストッパ部材６０が下側（許可位置側）へ移動して、ストッパ側傾斜リブ６６Ｂが、ストッパ側傾斜リブ６６Ｂに対して右側のフェンス側傾斜リブ２５Ｅの第１傾斜面２５Ｅ１を下側へ押圧する。そして、図示は省略するが、上述と同様に、フェンス側傾斜リブ２５Ｅには、第１傾斜面２５Ｅ１に直交する方向（右斜め下方側）の分力が作用する。これにより、上述と同様に、ストッパ側傾斜リブ６６Ｂの第２傾斜面６６Ｂ２が、第２フェンス１６のフェンス側傾斜リブ２５Ｅの第１傾斜面２５Ｅ１上を摺動しながら、ストッパ側傾斜リブ６６Ｂ（ストッパ部材６０）が下側へ移動すると共に、フェンス側傾斜リブ２５Ｅ（第２フェンス１６）が当該分力によって右側（格納位置側であり、フェンス１０の幅方向他方側）へ移動する。つまり、フェンス１０の幅寸法が短くなる。その結果、第２フェンス１６が左側の壁部ＷＬに対して離間して、フェンス１０の固定状態が解除される。
【００６２】
そして、ハンドル部材５０を回転方向他方側へさらに回転させると、ストッパ部材６０が第２フェンス１６に対して下側へさらに変位して、ストッパ部材６０のストッパ側傾斜リブ６６Ｂが、第２フェンス１６の傾斜溝２５Ｆから下側へ脱落する。これにより、ストッパ側傾斜リブ６６Ｂと、第２フェンス１６のフェンス側傾斜リブ２５Ｅとの係合状態が解除されて、ストッパ部材６０が許可状態に遷移する。その結果、第２フェンス１６の第１フェンス１４に対するスライドが許可されて、第２フェンス１６を格納位置へスライドすることができる。
【００６３】
以上説明したように、本実施の形態のフェンス１０では、ストッパ部材６０が上下方向に相対移動可能に第１フェンス１４に設けられている。このストッパ部材６０は、上下方向に移動することで、許可状態又は阻止状態に遷移する。そして、許可状態では、第２フェンス１６の第１フェンス１４に対するスライドが許可される。一方、阻止状態では、ストッパ部材６０が第２フェンス１６と係合して、第２フェンス１６のスライドが阻止される。さらに、阻止状態におけるストッパ部材６０が上側へ移動することで、ストッパ部材６０によって第２フェンス１６が展開位置側へ変位する。一方、阻止状態におけるストッパ部材６０が下側へ移動することで、ストッパ部材６０によって第２フェンス１６が格納位置側へ変位する。すなわち、ストッパ部材６０を上下に移動させることで、阻止状態におけるフェンス１０の幅寸法を可変させて、フェンス１０を壁部ＷＬに固定又は固定解除することができる。したがって、フェンス１０における固定作業及び固定解除作業の煩雑さを抑制することができる。
【００６４】
また、第２フェンス１６には、幅方向に並ぶ複数のフェンス側傾斜リブ２５Ｅが形成され、ストッパ部材６０には、第２フェンス１６のフェンス側傾斜リブ２５Ｅと係合可能に構成されたストッパ側傾斜リブ６６Ｂが形成されている。そして、第２フェンス１６のフェンス側傾斜リブ２５Ｅ及びストッパ側傾斜リブ６６Ｂが、ストッパ部材６０の移動方向一方側（上側）へ向かうに従いフェンス本体１２の幅方向他方側（格納位置側）へ傾斜されている。このため、上述のように、阻止状態におけるストッパ部材６０を上下に移動させることで、ストッパ側傾斜リブ６６Ｂをフェンス側傾斜リブ２５Ｅに摺動させて、第２フェンス１６を左右方向に変位させることができる。これにより、フェンス１０の固定及び固定解除を簡易な構成で実現することができる。
【００６５】
また、固定機構４０は、ハンドル部材５０を有しており、ハンドル部材５０が上下方向を軸方向として、第１フェンス１４に回転可能に支持されている。そして、ハンドル部材５０の第１ネジ部５８Ａがストッパ部材６０の第２ネジ部６２Ａに螺合されて、ハンドル部材５０がストッパ部材６０に、ネジ結合により連結されている。これにより、使用者がハンドル部材５０を回転操作することで、ストッパ部材６０を上下方向に移動させることができる。したがって、簡易な構成でストッパ部材６０を上下に移動させることができる。
【００６６】
また、ハンドル部材５０の第１ネジ部５８Ａを構成する雄ねじ、及びストッパ部材６０の第２ネジ部６２Ａを構成する雌ねじは、２条ねじとして構成されている。これにより、例えば、ハンドル部材５０の第１ネジ部５８Ａを構成する雄ねじ、及びストッパ部材６０の第２ネジ部６２Ａを構成する雌ねじを、１条ねじとする場合と比較して、ハンドル部材５０を一回転させたときの、ストッパ部材６０の上下方向の移動ピッチを大きくすることができる。つまり、使用者がハンドル部材５０を回転操作するときの、回転数を少なくすることができる。したがって、フェンス１０の固定及び固定解除するときの、使用者に対する利便性を一層向上することができる。
【００６７】
また、ハンドル部材５０の回転軸５４の先端面には、段差部５８Ｂが形成されており、ストッパ部材６０には、段差部５８Ｂと係合可能に構成された規制突起６４Ａが形成されている。そして、ハンドル部材５０を回転方向一方側へ回転させて、ストッパ部材６０が上側へ最も移動したときには、回転軸５４の段差部５８Ｂが、回転軸５４の回転方向において規制突起６４Ａに係合して、ハンドル部材５０を回転方向一方側への回転が制限される。これにより、使用者に対する利便性を向上することができる。
すなわち、仮に、ストッパ部材６０において規制突起６４Ａを省略した場合には、ストッパ部材６０が上側へ最も移動したときに、回転軸５４の先端面が、ストッパ部材６０の軸収容部６４の下面に当接して、ハンドル部材５０がストッパ部材６０に締め付けられる。この場合には、使用者がハンドル部材５０の締付状態を解除して、ハンドル部材５０を操作する必要がある。
これに対して、本実施の形態では、ストッパ部材６０が上側へ最も移動したときに、回転軸５４の段差部５８Ｂが、回転軸５４の回転方向において規制突起６４Ａに係合する。このため、ハンドル部材５０がストッパ部材６０に締め付けられることを抑制しつつ、第１ネジ部５８Ａ及び第２ネジ部６２Ａの破損等を抑制できる。
また、例えば、フェンス１０の収納時において、格納位置の第２フェンス１６をストッパ部材６０に係合させるときに、回転方向一方側におけるハンドル部材５０の最大回転数を、使用者に認識させることができる。したがって、使用者に対する利便性を向上することができる。
【００６８】
また、第２フェンス１６は、第１フェンス１４を前後に反転させた構造を成しており、第１フェンス１４と第２フェンス１６とが同一部材で構成されている。このため、第１フェンス１４及び第２フェンス１６の部品の共通化を図ることができる。また、第１フェンス１４及び第２フェンス１６を同一構造にすることで、第１フェンス１４及び第２フェンス１６を別構成する場合と比較して、第１フェンス１４及び第２フェンス１６を組付けるときの誤組付を抑制できる。よって、第１フェンス１４及び第２フェンス１６を組付けるときの作業性を向上することができる。
【００６９】
なお、本実施の形態では、阻止状態におけるストッパ部材６０が上側へ移動することで、第２フェンス１６が左側へ移動し、阻止状態におけるストッパ部材６０が下側へ移動することで、第２フェンス１６が右側へ移動するように構成されている。これに代えて、阻止状態におけるストッパ部材６０が下側へ移動することで、第２フェンス１６が左側へ移動し、阻止状態におけるストッパ部材６０が上側へ移動することで、第２フェンス１６が右側へ移動するように構成してもよい。この場合には、第２フェンス１６のフェンス側傾斜リブ２５Ｅ及びストッパ側傾斜リブ６６Ｂを、下側へ向かうに従い右側へ傾斜させてもよい。
【００７０】
また、本実施の形態では、ハンドル部材５０とストッパ部材６０とが、ねじ結合によって連結されているが、ハンドル部材５０とストッパ部材６０との連結はこれに限らない。例えば、ハンドル部材５０の回転軸５４（連結軸部５８）の外周部に、螺旋状のカム溝を形成し、ストッパ部材６０の連結筒部６２の内周部に、当該カム溝内を摺動するカム部を形成して、ハンドル部材５０とストッパ部材６０とを相対移動可能に連結してもよい。
【００７１】
また、本実施の形態では、第１フェンス１４及び第２フェンス１６が同一構造を成しているが、第１フェンス１４及び第２フェンス１６を別構造に構成してもよい。
【符号の説明】
【００７２】
１０   フェンス
１２   フェンス本体
１４   第１フェンス
１６   第２フェンス
２５Ｅ フェンス側傾斜リブ
４０   固定機構
５０   ハンドル部材（作動部材）
５２   ハンドル部（取手部）
５４   回転軸
５８Ａ 第１ネジ部
５８Ｂ 段差部
６０   ストッパ部材
６２Ａ 第２ネジ部
６４Ａ 規制突起（規制部）
６６Ｂ ストッパ側傾斜リブ
【図１】
2020089334.tif 000003
【図２】
2020089334.tif 000004
【図３】
2020089334.tif 000005
【図４】
2020089334.tif 000006
【図５】
2020089334.tif 000007
【図６】
2020089334.tif 000008
【図７】
2020089334.tif 000009
【図８】
2020089334.tif 000010
【図９】
2020089334.tif 000011
【図１０】
2020089334.tif 000012
【図１１】
2020089334.tif 000013
【図１２】
2020089334.tif 000014